【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
陽極及び蛍光体を内面に有する前面基板と、
電子源を内面に有して前記前面基板と所定の間隔を有して対向配置される背面基板と、
前記前面基板と前記背面基板との間に設置されて、表示領域を周回して介挿され、前記所定の間隔を保持する封止枠と、
を有し、
前記封止枠の端面と前記前面基板及び前記背面基板とをそれぞれ封着部材を介して気密封着してなる真空容器を形成する画像表示装置であって、
排気管がステムガラスに形成され、前記陽極に電気的接続を行う導電性リードが前記排気管の周辺部で前記ステムガラスを気密貫通して形成されたステムガラス構体が、前記真空容器の少なくとも一部に気密接合され、
前記陽極が前記真空容器の外側に露出されないように前記封止枠の内側に形成されていることを特徴とする画像表示装置。
【請求項２】
前記ステムガラス構体が前記背面基板に気密接合されたことを特徴とする請求項１に記載の画像表示装置。
【請求項３】
前記ステムガラス構体が前記前面基板に気密接合されたことを特徴とする請求項１に記載の画像表示装置。
【請求項４】
前記ステムガラス構体が前記封止枠に気密接合されたことを特徴とする請求項１に記載の画像表示装置。
【請求項５】
ゲッターが前記ステムガラス構体に設けられていることを特徴とする請求項１乃至請求項４の何れかに記載の画像表示装置。
【手続補正２】
【補正対象書類名】明細書
【補正対象項目名】０００６
【補正方法】変更
【補正の内容】
【０００６】
このように構成される電界放出型ディスプレイでは、陽極に高電圧を供給する手段として、図１０（ａ）に要部断面図、図１０（ｂ）に前面パネルＰＮ２の内側から見た要部平面図としてそれぞれ示すように陽極ＡＤＥの一部を前面パネルＰＮ２の端部に同一パターンで封止枠ＭＦＬの外側に引き出して陽極端子ＡＤＥ−Ｔを形成する方法が採用されている。なお、背面パネルＰＮ１上に形成される各種電極などは省略されている。
【手続補正３】
【補正対象書類名】明細書
【補正対象項目名】０００９
【補正方法】変更
【補正の内容】
【０００９】
また、「特許文献３」及び「特許文献４」には、前面パネルの内面に形成された陽極の陽極端子に一端を接続させた陽極リードを、隅部に貫通口を設けた背面パネルの貫通口内に絶縁部材を介して挿通させて外部に引き出すように構成した電界放出型表示装置が開示されている。また、「特許文献５」には、前面パネルの内面に形成された陽極の陽極端子に一端を接続させた陽極リードを、背面パネルの貫通口に設けた絶縁体内に挿通させて外部に引き出すように構成した電界放出型表示装置が開示されている。
【手続補正４】
【補正対象書類名】明細書
【補正対象項目名】００１８
【補正方法】変更
【補正の内容】
【００１８】
本発明によると、外部から電圧を供給する少なくとも１本の導電性リードがステムガラスに埋設され、中央部に容器内を排気させる排気管が一体的に形成されたステムガラス構体を真空容器の少なくとも一部に気密接合することにより、耐電圧性の高い導電手段が簡単且つ容易な構造で実現可能となるので、真空容器が低コスト化で実現可能となり、延いては生産コストを低減させることができるという極めて優れた効果が得られる。
【手続補正５】
【補正対象書類名】明細書
【補正対象項目名】００１９
【補正方法】変更
【補正の内容】
【００１９】
また、本発明によると、ステムガラス構体が機密接合される容器として前面基板，背面基板，封止枠の何れかとすることにより、簡単かつ容易な構造で導電手段が実現可能となるので、真空容器が低コストで実現可能となり、延いては生産コストを低減させることができるという極めて優れた効果が得られる。
【手続補正６】
【補正対象書類名】明細書
【補正対象項目名】００２０
【補正方法】変更
【補正の内容】
【００２０】
また、本発明によると、高電圧が供給される陽極リード周辺部の耐電圧特性を向上させることができるので、品質，信頼性の高い画像表示装置が実現可能となるという極めて優れた効果が得られる。
【手続補正７】
【補正対象書類名】明細書
【補正対象項目名】００２６
【補正方法】変更
【補正の内容】
【００２６】
このように構成される画像表示装置は、陰極配線ＣＬと制御電極Ｇ及び陽極ＡＤＥとの間に所定の電位差が与えられ、陰極配線ＣＬに設けた電子源から放出された電子は、制御電極Ｇに形成された電子通過孔ＥＨＬ通って陽極ＡＤＥに指向し、蛍光体ＰＨＳを励起して所定の波長で発光させる。この画素を二次元配置して前面パネルＰＮ２に表示領域が形成されてこの表示領域に画像が表示される。
【手続補正８】
【補正対象書類名】明細書
【補正対象項目名】００３１
【補正方法】変更
【補正の内容】
【００３１】
また、図２に示すようにスペーサＳＰＣは、薄いガラス板からなり、制御電極ＭＧを構成する制御電極素子ＭＲＧを横断して設置される。さらに、前面基板ＳＵＢ２の内面に陽極ＡＤＥと蛍光体ＰＨＳとを有する前面パネルＰＮ２は、封止枠ＭＦＬを介在させて背面パネルＰＮ１に貼り合わされている。
【手続補正９】
【補正対象書類名】明細書
【補正対象項目名】００３２
【補正方法】変更
【補正の内容】
【００３２】
図４は、陰極配線及び制御電極素子等を形成した背面パネルを貼り合わせる状態の説明図であり、図４（ａ）は背面パネルＰＮ１と封止枠ＭＦＬと前面パネルＰＮ２との位置関係を示す展開斜視図、図４（ｂ）は背面パネルＰＮ１と封止枠ＭＦＬと前面パネルＰＮ２とを貼り合わせた状態における図４（ａ）のＡ−Ａ´線で切断した断面図である。図４において、図１及び図２と同一参照符号は同一機能部分に対応する。なお、参照符号ＳＴＥは導電性リードＣＯＬ１，ＣＯＬ２が埋設されて中央部に排気管ＥＸＨを有するステムガラス構体を示し、スペーサＳＰＣは図示を省略してある。
【手続補正１０】
【補正対象書類名】明細書
【補正対象項目名】００３３
【補正方法】変更
【補正の内容】
【００３３】
前面パネルＰＮ２は、最初に開口ＯＰＮ１を形成した前面基板ＳＵＢ２を用意し、この前面基板ＳＵＢ２に蛍光体ＰＨＳ及び陽極ＡＤＥなどを形成した後に開口ＯＰＮ１にステムガラス構体ＳＴＥを前述したように加熱硬化により気密接合させ、また、導電性リードＣＯＬ１の先端部に接続されたリード線ＬＥＡを陽極ＡＤＥの一端部に接続させ、さらに他方の導電性リードＣＯＬ２にはゲッターＧＥＴを溶接固定させて、前面パネル組み立て体として予め準備して置く。
【手続補正１１】
【補正対象書類名】明細書
【補正対象項目名】００３４
【補正方法】変更
【補正の内容】
【００３４】
陰極配線ＣＬを形成した背面基板ＳＵＢ１に制御電極ＭＧを構成する制御電極素子ＭＲＧを上記陰極配線ＣＬと絶縁させた状態で固着する。図４では制御電極素子ＭＲＧを封止枠ＭＦＬで抑え、背面基板ＳＵＢ１と封止枠ＭＦＬの固着と同時に制御電極素子ＭＲＧを背面基板ＳＵＢ１に固着する。このとき、図１に示した制御電極素子ＭＲＧの脚部ＬＥＧも同様にして固着する。この背面基板ＳＵＢ１への制御電極素子ＭＲＧと封止枠ＭＦＬとの固着は、スペーサＳＰＣの固着と同時に行われる。すなわち、陰極配線ＣＬを形成した前面基板ＳＵＢ１と封止枠ＭＦＬの当接面とをフリットガラスを介在させて固着する。
【手続補正１２】
【補正対象書類名】明細書
【補正対象項目名】００４０
【補正方法】変更
【補正の内容】
【００４０】
図６は、本発明による画像表示装置の実施例２による構成を説明する要部拡大断面図であり、図３と同一部分には同一符号を付し、同一機能部分に対応するので、その説明は省略する。また、背面基板ＳＵＢ１上に形成される陰極配線ＣＬ及び制御電極素子ＭＲＧなどは省略されている。図６において、図３と異なる点は、背面パネルＰＮ１を構成する背面基板ＳＵＢ１の表示領域外の角部には、開口ＯＰＮ２が穿設され、この開口ＯＰＮ２には図３に示す同一構成のステムガラス構体ＳＴＥが加熱硬化により溶着されて気密接合されている。なお、このステムガラス構体ＳＴＥには、そのチップオフ部を機械的に保護するとともに、外部電源に接続させる電極端子などを有する絶縁性樹脂材からなるＣＲＴソケットが装着されるが、ここでは省略してある。
【手続補正１３】
【補正対象書類名】明細書
【補正対象項目名】００４２
【補正方法】変更
【補正の内容】
【００４２】
また、このような構成においては、前面パネルＰＮ２と背面パネルＰＮ１とを図示しないスペーサ及び封止枠ＭＦＬを介在させて固着させた後に背面基板ＳＵＢ１に予め形成しておいた開口ＯＰＮ２にステムガラス構体ＳＴＥを気密接合させることにより、陽極リードの電気的な接続が可能となる。また、背面基板ＳＵＢ１に形成した開口ＯＰＮ２にステムガラス構体ＳＴＥを予め気密接合させて背面パネル組み立て体として予め準備して置き、前面パネルＰＮ２と背面パネルＰＮ１とを封止枠ＭＦＬを介在させて同時に固着させても良い。
【手続補正１４】
【補正対象書類名】明細書
【補正対象項目名】００４４
【補正方法】変更
【補正の内容】
【００４４】
図７は、本発明による画像表示装置の実施例３による構成を説明する要部拡大断面図であり、図３と同一部分には同一符号を付し、同一機能部分に対応するので、その説明は省略する。また、この場合も、背面基板ＳＵＢ１上に形成される陰極配線ＣＬ及び制御電極素子ＭＲＧなどは省略されている。図７において、図３と異なる点は、背面パネルＰＮ１を構成する背面基板ＳＵＢ１の表示領域外の角部には、開口ＯＰＮ２が穿設され、この開口ＯＰＮ２には図３に示す同一構成のステムガラス構体ＳＴＥが加熱硬化により気密接合されて固着されている。なお、このステムガラス構体ＳＴＥには、そのチップオフ部を機械的に保護するとともに、外部電源に接続させる電極端子などを有する絶縁性樹脂材からなるＣＲＴソケットが装着されるが、ここでは省略してある。
【手続補正１５】
【補正対象書類名】明細書
【補正対象項目名】００４６
【補正方法】変更
【補正の内容】
【００４６】
なお、このステムガラス構体ＳＴＥ取り付けは、背面パネルＰＮ１を封止枠ＭＦＬに固着させる以前に背面基板ＳＵＢ１の開口ＯＰＮ２にステムガラス構体ＳＴＥを気密接合させる。導電性リードＣＯＬ１のリード線ＬＥＡと背面基板ＳＵＢ１上に設置される集束電極ＦＯＣの一端部とを接続させた後に、封止枠ＭＦＬを介在させて背面パネル１と前面パネルＰＮ２とを固着させることになる。これによって導電性リードＣＯＬ２は、そのリード線ＬＥＡＰの弾性力による接触により陽極ＡＤＥに接続されることになる。
【手続補正１６】
【補正対象書類名】明細書
【補正対象項目名】００５２
【補正方法】変更
【補正の内容】
【００５２】
また、このような構成によれば、ステムガラス構体ＳＴＥを封止枠ＭＦＬに設けたことにより、ステムガラス構体ＳＴＥが前面パネルＰＮ２または背面パネルＰＮ１の面から突出することがなくなるので、表示パネルの完成品として多段に積層配置または箱詰めされる場合に外部から機械的な圧力がステムガラス構体に付与され難くなり、ステムガラス構体自体が保護され易くなるので、その取り扱いが容易となる。
【手続補正１７】
【補正対象書類名】明細書
【補正対象項目名】００５３
【補正方法】変更
【補正の内容】
【００５３】
なお、前述した各実施例においては、ステムガラス構体ＳＴＥのステムガラスＳＴＧの外周形状を丸形状として図示したが、本発明はこの形状に限定されるものではなく、楕円形状，矩形状または三角形状の何れの形状で形成しても良い。
【手続補正１８】
【補正対象書類名】明細書
【補正対象項目名】００５５
【補正方法】変更
【補正の内容】
【００５５】
また、前述した各実施例においては、ステムガラス構体ＳＴＥを前面パネルＰＮ２，背面パネルＰＮ１及び封止枠ＭＦＬの何れか１つに設けた場合について説明したが、本発明はこれに限定されるものではなく、内部に配設される各種電極の引き出し線数に応じて複数個設けても良い。さらにこれらの構成部材の何れかの１箇所に設けた場合について説明したが、本発明はこれに限定されるものではなく、画像表示領域外の複数箇所に配設しても良い。
【手続補正１９】
【補正対象書類名】明細書
【補正対象項目名】００５６
【補正方法】変更
【補正の内容】
【００５６】
また、前述した各実施例においては、画像表示装置としてフィールドエミッションパネルに適用した場合について説明したが、本発明はこれに限定されるものではなく、他の形式の平板状パネルを用いたディスプレイなどに適用しても前述と全く同様の効果が得られることは勿論である。